(57)【特許請求の範囲】
【請求項１】
バックライトを有する液晶表示パネルを有し、輝度を含む画質調整を画質調整回路で行うことが可能な画像表示装置であって、
当該画像表示装置における各個体としての最大の輝度である個体別バックライト輝度を取得する個体別バックライト輝度取得手段と、
標準のバックライトの暗領域における所定の第一の輝度となる当該画像表示装置の第一の映像レベルを取得する第一映像レベル取得手段と、
上記個体別バックライト輝度が上記標準のバックライトで表示する際の輝度と一致する当該画像表示装置における映像レベルを第二の映像レベルとして取得する第二映像レベル取得手段と、
標準のバックライトにおける最大の輝度である標準バックライト輝度を取得する標準バックライト輝度取得手段とを有し、
上記画質調整回路は、
上記個体別バックライト輝度が上記標準バックライト輝度よりも小さいときに、上記第一の映像レベルよりも小さい映像レベルにおいて、入力される映像レベルを上記個体別バックライト輝度と上記標準バックライト輝度との比に対応して大きくし、上記第一の映像レベルよりも大きい映像レベルにおいて、入力される映像レベルを、滑らかに上昇するように補正する補正手段を有し、
同補正手段は、
上記個体別バックライト輝度が上記標準バックライト輝度よりも小さいときに、入力映像レベルに対する倍率として、
入力映像の平均レベルをＡＰＬ、
第一の映像レベルをＡ、
第二の映像レベルをＢ、
個体別バックライト輝度をＬ、
標準バックライト輝度をＬ０としたとき、
上記ＡＰＬが０〜Ａのときに、入力映像レベルを（Ｌ０／Ｌ）倍し、
上記ＡＰＬがＡ〜Ｂのときに、入力映像レベルを
｛（１−Ｌ０／Ｌ）／（Ｂ−Ａ）×（ＡＰＬ−Ａ）＋Ｌ０／Ｌ｝倍し、
上記ＡＰＬがＢ〜  のとき、１倍し、
上記個体別バックライト輝度が上記標準バックライト輝度よりも大きいときに、
入力映像レベルを（Ｌ０／Ｌ）倍することを特徴とする画像表示装置。
【請求項２】
上記補正手段は、
利用者に対して上記第一の映像レベルと、上記個体別バックライト輝度を入力させる画面を表示し、入力値を取得して上記倍率を演算することを特徴とする請求項１に記載の画像表示装置。
【請求項３】
上記映像レベルは離散的な階調値であることを特徴とする請求項１または請求項２に記載の画像表示装置。
【請求項４】
テレビ放送を受信して映像信号と音声信号を出力するテレビ放送受信回路と、
上記映像信号を入力して輝度を含む所定の画質調整を行う画質調整回路と、
バックライトを有するとともに透過光を制御して映像を表示する液晶表示パネルと、
画質調整された上記映像信号に基づいて上記液晶表示パネルを駆動して上記映像を表示させる駆動回路とを具備するテレビジョンであって、
当該画像表示装置における各個体としての最大の輝度である個体別バックライト輝度を取得する個体別バックライト輝度取得手段と、
標準のバックライトの暗領域における所定の第一の輝度となる当該画像表示装置の第一の映像レベルを取得する第一映像レベル取得手段と、
標準のバックライトにおける最大の輝度である標準バックライト輝度を取得する標準バックライト輝度取得手段とを有するとともに、
上記画質調整回路は、
上記個体別バックライト輝度が上記標準バックライト輝度よりも小さいときに、上記第一の映像レベルよりも小さい映像レベルにおいて、入力される映像レベルを上記個体別バックライト輝度と上記標準バックライト輝度との比に対応して大きくする補正手段を有し、
同補正手段は、
上記個体別バックライト輝度が上記標準のバックライトで表示する際の輝度と一致する当該画像表示装置における映像レベルを第二の映像レベルとして取得する第二映像レベル取得手段を有するとともに、
上記個体別バックライト輝度が上記標準バックライト輝度よりも小さいときに、
入力映像レベルに対する倍率として、
入力映像の平均レベルをＡＰＬ、
第一の映像レベルをＡ、
第二の映像レベルをＢ、
個体別バックライト輝度をＬ、
標準バックライト輝度をＬ０としたとき、
上記ＡＰＬが０〜Ａのときに、入力映像レベルを（Ｌ０／Ｌ）倍し、
上記ＡＰＬがＡ〜Ｂのときに、入力映像レベルを｛（１−Ｌ０／Ｌ）／（Ｂ−Ａ）×（ＡＰＬ−Ａ）＋Ｌ０／Ｌ｝倍し、
上記ＡＰＬがＢ〜  のとき、１倍し、
上記個体別バックライト輝度が上記標準バックライト輝度よりも大きいときに、
入力映像レベルを（Ｌ０／Ｌ）倍するとともに、
利用者に対して上記第一の映像レベルと、上記個体別バックライト輝度を入力させる画面を表示し、入力値を取得して上記倍率を演算することを特徴とするテレビジョン。
【発明の詳細な説明】
【技術分野】
【０００１】
本発明は、バックライトを有する透過型の表示装置としての画像表示装置あるいはこれを利用したテレビジョンに関する。
【背景技術】
【０００２】
陰極線管以外の可視的表示器として、蛍光管やＬＥＤなどのバックライトを有するとともに、バックライト光の透過具合を制御して映像を表示する液晶表示パネルが知られている。
従来、このような液晶表示パネルを有する画像表示装置では、パネルの輝度がばらつくと画質もばらついてしまう。そして、輝度の調整を行うものとして以下のものが知られている。
特許文献１には、駆動初期時における輝度の変化を簡易な構成で補正する技術が開示されている。
【０００３】
特許文献２には、輝度不均衡の座標位置を取得し、ディスプレイの映像輝度を調整する技術が開示されている。
特許文献３には、表示する映像の平均輝度に応じて光源の輝度を制御する技術が開示されている。
特許文献４には、透過型表示装置の黒浮きを抑える技術が開示されている。
特許文献５には、表示ユニット間の輝度ばらつきや継ぎ目を目立たせないようにする技術が開示されている。
しかし、一般に各個体のバックライト輝度の補正は行っていない。
【先行技術文献】
【特許文献】
【０００４】
【特許文献１】特開２００８ー１０２４９０号公報
【特許文献２】特開２００８−１３９８２１号公報
【特許文献３】特許３５８３１２２号公報
【特許文献４】特開２００６−２４３６８７号公報
【特許文献５】特開２００１−３２４９６１号公報
【発明の概要】
【発明が解決しようとする課題】
【０００５】
一方、映像にあわせてバックライトの輝度を調整する方法もあるが、輝度を低くする方向にしか調整できない。また、一番安定する状態である最大輝度から輝度を変更することになるが、インバータを有するものではトランスの鳴きや電流の不安定、ノイズなどの問題を起こす場合がある。そして、これを回避するには、回路にマージンが必要になる。
液晶テレビジョンのバックライトの輝度はセットによってばらつき、最高輝度で１００ｃｄ／（平米）くらいの差があるものもある。明るいシーンではさほど差は目立たないが、暗いシーンでは人間の眼が敏感になるのでわずかな輝度の差も大きく認識され、画像の印象がセット毎に変わってしまう。
【０００６】
すなわち、明るい範囲では差異はさほど感じないが、暗い領域では固体差を感じてしまう。
本発明では、液晶テレビジョンなどの画像表示装置において、画質、特に暗いシーンを写したときの見た目がバックライドの輝度のばらつきにかかわらず一定になるようにする。
【課題を解決するための手段】
【０００７】
本発明は、バックライトを有する液晶表示パネルを有し、輝度を含む画質調整を画質調整回路で行うことが可能な画像表示装置であって、当該画像表示装置における各個体としての最大の輝度である個体別バックライト輝度を取得する個体別バックライト輝度取得手段と、標準のバックライトの暗領域における所定の第一の輝度となる当該画像表示装置の第一の映像レベルを取得する第一映像レベル取得手段と、標準のバックライトにおける最大の輝度である標準バックライト輝度を取得する標準バックライト輝度取得手段とを有し、上記画質調整回路は、上記個体別バックライト輝度が上記標準バックライト輝度よりも小さいときに、上記第一の映像レベルよりも小さい映像レベルにおいて、入力される映像レベルを上記個体別バックライト輝度と上記標準バックライト輝度との比に対応して大きくし、上記第一の映像レベルよりも大きい映像レベルにおいて、入力される映像レベルを、滑らかに上昇するように補正する補正手段を有する構成としてある。
【０００８】
かかる構成において、個体別バックライト輝度取得手段が当該画像表示装置における各個体としての最大の輝度である個体別バックライト輝度を取得し、第一映像レベル取得手段は標準のバックライトの暗領域における所定の第一の輝度となる当該画像表示装置の第一の映像レベルを取得し、標準バックライト輝度取得手段は標準のバックライトにおける最大の輝度である標準バックライト輝度を取得する。そして、上記画質調整回路の補正手段は、上記個体別バックライト輝度が上記標準バックライト輝度よりも小さいときに、上記第一の映像レベルよりも小さい映像レベルにおいて、入力される映像レベルを上記個体別バックライト輝度と上記標準バックライト輝度との比に対応して大きくする。
【０００９】
すなわち、人間の眼が敏感になる暗いシーンのしきい値として第一の輝度を設定し、この第一の輝度となる第一の映像レベルを取得する。なお、この第一の映像レベルは各画像表示装置における設計時に決まる値であり、予め固定値として記憶しておき、その値を利用するようにすればよい。そして、個体別バックライト輝度と標準バックライト輝度との比を倍率として、第一の映像レベル以下の入力される映像レベルを大きくする。この結果、第一の輝度以下では個体差があるバックライトを有している場合でも、標準のバックライトを有するものと同等の輝度となり、暗いシーンを写したときの見た目がバックライドの輝度のばらつきにかかわらず一定になる。
【００１０】
所定の第一の輝度は個人差もあるが、例えば、画像の輝度が約１０ｃｄ／（平米）とすることができる。このように、画像の輝度が約１０ｃｄ／（平米）以下で、バックライトの輝度に応じてコントラストを補正することで、表示される画像の輝度が一定になるようにしている。
また、上記第一の映像レベルよりも大きい映像レベルにおいては、入力される映像レベルを、滑らかに上昇するように補正する。例えば、上記第一の映像レベルよりも大きい映像レベルにおいて、同第一の映像レベルよりも大きい映像レベルの区間を区切り、入力される映像レベルを、それぞれの区間で滑らかに上昇しつつ段差なく接続するように補正すればよい。以下の例では、上記第一の映像レベルを超える所定の映像レベルよりも大きい映像レベルでは、入力される映像レベルを補正せず、上記第一の映像レベルから上記所定の映像レベルまでの区間では、入力される映像レベルを滑らかに上昇しつつ段差なく接続するように補正する。
一例として、本発明は、上記個体別バックライト輝度が上記標準のバックライトで表示する際の輝度と一致する当該画像表示装置における映像レベルを第二の映像レベルとして取得する第二映像レベル取得手段を有するとともに、上記補正手段は、上記個体別バックライト輝度が上記標準バックライト輝度よりも小さいときに、入力映像レベルに対する倍率として、入力映像の平均レベルをＡＰＬ、第一の映像レベルをＡ、第二の映像レベルをＢ、個体別バックライト輝度をＬ、標準バックライト輝度をＬ０としたとき、上記ＡＰＬが０〜Ａのときに、入力映像レベルを（Ｌ０／Ｌ）倍し、上記ＡＰＬがＡ〜Ｂのときに、入力映像レベルを｛（１−Ｌ０／Ｌ）／（Ｂ−Ａ）×（ＡＰＬ−Ａ）＋Ｌ０／Ｌ｝倍し、上記ＡＰＬがＢ〜  のとき、１倍し、上記個体別バックライト輝度が上記標準バックライト輝度よりも大きいときに、入力映像レベルを（Ｌ０／Ｌ）倍する構成としても良い。
【００１１】
かかる構成において、第二映像レベル取得手段は、上記個体別バックライト輝度が上記標準のバックライトで表示する際の輝度と一致する当該画像表示装置における映像レベルを第二の映像レベルとして取得する。個体別バックライト輝度は、標準よりも暗いバックライトで表示できる最大輝度であり、標準のバックライトであれば、上記第二の映像レベルで表示することになる輝度となる。
補正後の輝度変化が一律、かつ、滑らかにするため、第一の映像レベルと第二の映像レベルで映像レベルの区間を区切り、それぞれの区間で滑らか、かつ、段差のない補正を実現することがのぞましい。
【００１２】
ここで、上記ＡＰＬが０〜Ａのときに、入力映像レベルを（Ｌ０／Ｌ）倍すると、入力映像レベルがＡとなったときの輝度は、Ａ×（Ｌ０／Ｌ）×（バックライトの輝度）×（パネルの入出力特性）となる。このバックライトの輝度は標準の（Ｌ／Ｌ０）倍であるから、パネルの個体差のばらつき部分は解消され、輝度は標準のバックライトの場合の入力映像レベルＡのときと同じ値になる。なお、標準のバックライトの輝度に対する比をバックライトの輝度比と呼ぶことにすると、バックライトの輝度＝（標準のバックライト輝度）×バックライトの輝度比といえる。
さらに、Ａ〜Ｂの区間における倍率で、入力映像レベルがＡであるときの輝度は、
【００１３】
｛（１−Ｌ０／Ｌ）／（Ｂ−Ａ）×（ＡＰＬ−Ａ）＋Ｌ０／Ｌ｝に、入力映像レベルＡとバックライトの輝度比（Ｌ／Ｌ０）と（パネルの入出力特性）を乗算すると、
最初の項は、ＡＰＬ＝Ａを代入して
｛（１−Ｌ０／Ｌ）／（Ｂ−Ａ）×（Ａ−Ａ）＋Ｌ０／Ｌ｝
＝Ｌ０／Ｌ
となり、バックライトの輝度比（Ｌ／Ｌ０）を打ち消すから段差なくつながる。また、Ａ〜Ｂの区間では一律に比例関係が成立しているので滑らかである。
さらに、Ａ〜Ｂの区間における倍率で、入力映像レベルがＢであるときの輝度は、
｛（１−Ｌ０／Ｌ）／（Ｂ−Ａ）×（ＡＰＬ−Ａ）＋Ｌ０／Ｌ｝に、入力映像レベルＢとバックライトの輝度比（Ｌ／Ｌ０）と（パネルの入出力特性）を乗算すると、
【００１４】
最初の項は、ＡＰＬ＝Ｂを代入して
｛（１−Ｌ０／Ｌ）／（Ｂ−Ａ）×（Ｂ−Ａ）＋Ｌ０／Ｌ｝
＝（１−Ｌ０／Ｌ）＋Ｌ０／Ｌ
＝１
となり、補正前の輝度と一致し、Ｂ〜の区間では倍率が１倍であるから、段差なくつながるとともに、滑らかに上昇する。
【００１５】
一方、上記個体別バックライト輝度が上記標準バックライト輝度よりも大きいときには、入力映像レベルを（Ｌ０／Ｌ）倍する。Ｌ０＜Ｌであるから、輝度は小さくなるように補正される。入力映像レベルが第一の映像レベルの際にも、バックライトの輝度の比が映像の輝度の比に比例するから、入出力特性の（Ｌ／Ｌ０）を乗算すると表示される輝度はＡ×（バックライトの輝度）×（パネルの入出力特性）となる。第一の映像レベルから最大の映像レベルの間でも同様のこととなり、標準のバックライトを有する場合とほぼ同じ輝度で映像が表示される。
【００１６】
さらに、本発明は、上記補正手段が、利用者に対して上記第一の映像レベルと、上記個体別バックライト輝度（最大輝度として）を入力させる画面を表示し、入力値を取得して上記倍率を演算する構成としても良い。
個体別バックライト輝度は、各機体毎に必要な値である。しかし、生産ラインで個別に計測することが難しい場合がある。一方、ユーザが違和感等を感じるか否かは個人差もあるから、一律に正確な値が分からないと効果が生じないという性質のものもでもない。このため、ユーザが値を入力し、違和感を生じなければ十分に効果を生じる。このため、生産ラインで個体差を計測しなくても同様の効果を奏することができる。
【００１７】
なお、上記映像レベルは必ずしも連続的な値でなくても、離散的な階調値とすることができ、この場合でも滑らかに表示できる。
上述した発明は、テレビジョン放送を受信して映像信号と音声信号を出力するテレビジョンにおいても同様に実現できる。従って、本発明をテレビジョンとして適用することも可能である。
本発明は、バックライトを有するいわゆる透過型の映像表示装置において有用であり、透過制御は各種の手法を採用することができる。たとえば、ＴＦＴ方式、ＮＴＳＣ方式など、その方式に限定されることはない。
【発明の効果】
【００１８】
以上のようにした本発明によれば、バックライトの輝度がばらついても液晶ＴＶの画質が一定になり、かつ、バックライド駆動回路は安定した状態を保てるようになる。そして、暗い領域でパネルの個体差を視認できなくなるという効果を奏する。
【図面の簡単な説明】
【００１９】
【図１】本発明の画像表示装置が適用されるテレビジョンのブロック図である。
【図２】補正の適用の有無と表示輝度の関係を示すグラフである。
【図３】補正前後の暗領域での表示輝度を示すグラフである。
【図４】ユーザからの入力を得る場合のユーザインターフェイスを示す図である。
【図５】ユーザからの入力を得て演算する場合のフローチャートである。
【発明を実施するための形態】
【００２０】
以下、下記の順序に従って添付図面にもとづいて本発明の実施形態を説明する。
図１は、本発明の画像表示装置が適用されるテレビジョンのブロック図である。
テレビ放送受信回路１１は、ユーザ（利用者）の操作に応じて、地上波、衛星放送、ケーブル放送など、各種のテレビ放送を受信することが可能であり、選択したチャンネルと音量の映像信号と音声信号を出力する。本実施形態では、テレビ放送を受信できるテレビジョンを対象として説明しているが、受信機能がなく、接続映像機器からの映像を入力するものにおいても適用可能である。受信できる放送波も限定されるものではなく、地上波のみ、衛星放送のみ、ケーブル放送のみというものであってもよい。
【００２１】
画質調整回路１２はテレビ放送受信回路から出力される映像信号の画質を調整する。画質の調整には輝度の調整も含んでおり、ブライトネス、コントラストも輝度の一概念である。また、近年の透過型表示器はその表示素子の画素数も様々であり、画質調整回路１２は画素数の変換、シャープネスの調整、ガンマ補正、色合いの補正といった様々な画質調整を行う。
補正量ルックアップテーブル１３は、画質調整回路１２が輝度の補正の際に参照する変換用テーブルであり、補正量については後述する。
【００２２】
駆動回路１４は、画質調整回路１２を経て画素数の変換および画質の調整が行われた映像信号に基づいて表示器である液晶表示パネル（ＬＣＤパネル）１５を駆動する回路である。駆動手法は様々なものがあるが、本発明では一般的な手法が適用可能である。
液晶表示パネル１５は、バックライトを有するとともに透過光を制御して映像を表示する表示器である。バックライトは一般的には蛍光管が主流であるが、ＬＥＤも利用され始めている。いずれのものであってもよい。
【００２３】
次に、輝度の補正の手法について説明する。
図２は補正の適用の有無と表示輝度の関係を示すグラフであり、図３は補正前後の暗領域での表示輝度を示すグラフである。
図２には、標準の輝度のバックライトを有する液晶表示パネルでの入力映像レベルと表示される輝度との対応関係を挟んで、下側にこれよりも最大輝度が小さいバックライトを有する液晶表示パネルでの入力映像レベルと表示される輝度との対応関係を示し、上側にこれよりも最大輝度が大きいバックライトを有する液晶表示パネルでの入力映像レベルと表示される輝度との対応関係を示している。本実施形態では、以下に示すように、１０ｃｄ／（平米）以下で表示される輝度が個体別にばらつかないようにする。
【００２４】
まず、表示される画像の輝度は、以下のように示される。
（表示される画像の輝度）＝（入力映像レベル）×（コントラスト以外の画質設定）×（コントラスト）×（バックライドの輝度）×（パネルの入出力特性）
なお、入力映像レベルはアナログ値のような連続的な値と、デジタル値のような離散的な階調値とのどちらでも良い。
上述したように、表示される画像の輝度が約１０ｃｄ／（平米）（所定の第一の輝度に相当する）以下では輝度の差が視聴者に認識されやすいので、バックライトの輝度に応じてコントラストを補正して表示される画像の輝度が一定になるようにする。なお、高輝度の画像では視聴者が輝度差に敏感になる上、補正によって輝度指示がバックライト輝度を超えると白飛びが発生するので、補正しない。また、補正する領域と補正しない領域の差をゆるやかにして画質が不自然になることを防ぐ。
【００２５】
本実施形態で必要になるものを分類すると、各機種毎の設計時の値と、各個体別の値である。各機種毎の設計時の値としては、基準のバックライトの最大輝度（標準バックライト輝度：以下、Ｌ０とする）と、表示画像の輝度が１０ｃｄ／（平米）以下になる映像レベル（以下、Ａとする）とが必要になる。この標準バックライト輝度と、映像レベルは、機種別の値であるから、各個体で変化する値ではない。このため、予め機種内の不揮発性メモリなどに書き込んでおき、その値を取得すればよい。また、生産ラインで演算する場合は、生産ラインから値を与えるようにしても良い。いずれにしても、このように上記標準バックライト輝度を取得する点で標準バックライト輝度取得手段に相当し、上記映像レベルを取得する点で第一映像レベル取得手段に相当する。
【００２６】
ここで画質調整回路１２が適用するコントラストを
（標準コントラスト）×（補正量）
とし、この補正量を上述した補正量ルックアップテーブル１３を参照して適用することにする。なお、このようにして補正量ルックアップテーブル１３を参照して補正量を適用する構成が補正手段に相当する。
次に、各個体別の値として必要なバックライトの最大輝度を取得する。
ＴＶセットの製造過程において、使用するバックライトの最大輝度（個体別バックライト輝度:Ｌ）を測定する。このようにして個体別バックライト輝度を測定する手段が個体別バックライト輝度取得手段に相当する。
【００２７】
次に、個体別バックライト輝度の方が標準バックライト輝度よりも小さいとき（Ｌ＜Ｌ０）、基準のバックライトでの表示画像がこの個体別バックライト輝度（Ｌ）を超える、あるいはほぼ一致するときの映像レベル（Ｂ）を決定する。標準のバックライトで表示される輝度と映像レベルの関係は設計時において定まっている、あるいは計測しておくことで分かっている。従って、この対応関係を利用して、輝度が個体別バックライト輝度（Ｌ）となる映像レベルも個体別に測定を要することなく取得できる。このようにして映像レベル（Ｂ）を決定する構成が第二映像レベル取得手段に相当する。
【００２８】
次に、映像信号における入力映像レベルにあわせて、以下のように区分した補正量を演算する。なお、個体別バックライト輝度が標準バックライト輝度よりも小さいときだけでなく、個体別バックライト輝度が標準バックライト輝度よりも大きいときにも同じ画質を得られるように補正量を用意しておく。
１．Ｌ＜Ｌ０：個体別バックライト輝度が標準バックライト輝度よりも小さい｛バックライトの輝度比（Ｌ／Ｌ０）｝とき
入力映像のＡＰＬ（平均レベル）が０〜Ａのとき、
【００２９】
コントラスト補正量をＬ０／Ｌとし、
入力映像のＡＰＬ（平均レベル）がＡ〜Ｂのとき、
コントラスト補正量を｛（１−Ｌ０／Ｌ）／（Ｂ−Ａ）×（ＡＰＬ−Ａ）＋Ｌ０／Ｌ｝
入力映像のＡＰＬ（平均レベル）がＢ〜  のとき、
コントラスト補正量を１
とする。
２．Ｌ＞＝Ｌ０：個体別バックライト輝度が標準バックライト輝度よりも大きい｛バックライトの輝度比（Ｌ／Ｌ０）｝とき
入力映像のＡＰＬ（平均レベル）の値にかかわらず、一律に、
【００３０】
コントラスト補正量をＬ０／Ｌ
とする。
このようにして演算されるコントラスト補正量は上述した倍率に相当し、上記補正量ルックアップテーブル１３に記録しておく。
このような補正量が記録されているときの輝度について検証する。
まず、Ｌ＜Ｌ０：個体別バックライト輝度が標準バックライト輝度よりも小さい｛バックライトの輝度比（Ｌ／Ｌ０）｝ときについて検証する。
入力映像レベルがＡのとき、入力映像のＡＰＬ（平均レベル）が０〜Ａのときのコントラスト補正量（Ｌ０／Ｌ）を適用すれば、標準の輝度に対して個体別のバックライトの輝度比（Ｌ／Ｌ０）が相殺され、標準の輝度に一致する。
【００３１】
すなわち、以上説明したコントラスト補正量を適用すると、図３に示す無補正の場合に表示される輝度（Ｘ１）は、上に引き上げられた補正後に表示される輝度（Ｘ２）となり、１０ｃｄ／（平米）において、標準の場合と同様に表示されることが分かる。
次に、入力映像のＡＰＬ（平均レベル）がＡ〜Ｂのコントラスト補正量｛（１−Ｌ０／Ｌ）／（Ｂ−Ａ）×（ＡＰＬ−Ａ）＋Ｌ０／Ｌ｝を適用する。ＡＰＬがＡと一致し、さらに、標準の輝度に対して個体別のバックライトの輝度比（Ｌ／Ｌ０）が適用されれば、
【００３２】
（１−Ｌ０／Ｌ）／（Ｂ−Ａ）×（ＡＰＬ−Ａ）＋Ｌ０／Ｌ
＝（１−Ｌ０／Ｌ）／（Ｂ−Ａ）×（Ａ−Ａ）＋Ｌ０／Ｌ
＝Ｌ０／Ｌ
となるので、入力映像を（Ｌ０／Ｌ）倍に補正して標準と一致させるのと同様になり、段差は生じない。
さらに、入力映像レベルがＢのとき、入力映像のＡＰＬ（平均レベル）がＡ〜Ｂのコントラスト補正量｛（１−Ｌ０／Ｌ）／（Ｂ−Ａ）×（ＡＰＬ−Ａ）＋Ｌ０／Ｌ｝を適用する。ＡＰＬがＢと一致し、さらに、標準の輝度に対して個体別のバックライトの輝度比（Ｌ／Ｌ０）が適用されれば、
【００３３】
（１−Ｌ０／Ｌ）／（Ｂ−Ａ）×（ＡＰＬ−Ａ）＋Ｌ０／Ｌ
＝（１−Ｌ０／Ｌ）／（Ｂ−Ａ）×（Ｂ−Ａ）＋Ｌ０／Ｌ
＝（１−Ｌ０／Ｌ）＋Ｌ０／Ｌ
＝１
となるので、入力映像を１倍に補正したのと同様になり、入力映像のＡＰＬ（平均レベル）がＢ〜のコントラスト補正量（１）が適用されることから、Ａ〜Ｂを経てＢ〜となる過程で、コントラスト補正量が最終的に１となって継続しているので、段差なく、なめらかに接続していることが分かる。
次に、Ｌ＞＝Ｌ０：個体別バックライト輝度が標準バックライト輝度よりも大きい｛バックライトの輝度比（Ｌ／Ｌ０）｝ときについて検証する。
この場合は、コントラスト補正量は一律にＬ０／Ｌであり、さらにこの場合のバックライトの輝度比（Ｌ／Ｌ０）が適用されれば、コントラスト補正量と輝度比が相殺され、一律に標準のバックライトの場合と同じ輝度で表示されることになる。
【００３４】
従って、個体別バックライト輝度と標準バックライト輝度との大小比にかかわらず、さらに、映像レベルのすべての領域において、滑らかに補正される。むろん、１０ｃｄ／（平米）以下の暗領域では標準のバックライトの場合と同じ画質で表示される。
この場合でも、上記コントラスト補正量を適用すると、図３に示す無補正の場合に表示される輝度（Ｘ３）は、下に引き下げられた補正後に表示される輝度（Ｘ４）となり、１０ｃｄ／（平米）において、標準の場合とほぼ同様に表示されることが分かる。
【００３５】
次に、生産ラインで個体別バックライト輝度を計測できない場合や、経年比によってバックライトの輝度が低下してきた場合に有用な変形例について説明する。
図４は、ユーザが液晶表示パネル１５に表示される画面を見ながら、図示しないリモコンなどで操作するためのユーザインターフェイス画面を示している。
暗領域（１０ｃｄ／（平米））として補正したいと感じることになる入力映像レベル（Ａ）と、最大輝度（個体別バックライト輝度としてのＬ）を、スライダ（Ｓ１，Ｓ２）を操作して入力することになる。スライダを移動させた後、「完了」を操作すれば、入力値に基づいて新らしい補正量を演算して記録し、「キャンセル」を操作すれば、補正量を演算することなく終了する。
【００３６】
ここで、入力映像レベル（Ａ）は設計時の値をそのまま利用することができるから敢えて入力を求める必要もないが、入力できるようにすることで各個人の眼の感度を反映させることができるようになる。また、最大輝度（個体別バックライト輝度としてのＬ）は正確な値を期待できないが、ユーザが試行錯誤できるようにするだけでも、各個人の好みを反映させることができ、利便性は向上している。
図５は、ユーザからの入力を得て演算する場合のフローチャートである。
【００３７】
まず、ステップ５１で上述したユーザインターフェイス画面を表示する。ステップ５２ではユーザの操作による入力映像レベル（Ａ）を入力し、ステップ５３ではユーザの操作による最大輝度（Ｌ）を入力する。ステップ５４では、ユーザが「完了」の操作を行ったか、それ以外（「キャンセル」）の操作かを判断し、「完了」の操作が行われていれば、ステップ５５にて、「補正量ルックアップテーブルの再構築」を行ない、上述した場合分け、区分分けに沿って上記入力値に基づいてそれぞれの場合のコントラスト補正量を演算する。
【００３８】
また、本発明は、上述した実施形態や変形例に限られず、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も含まれる。
【符号の説明】
【００３９】
１１…テレビ放送受信回路、１２…画質調整回路、１３…補正量ルックアップテーブル、１４…駆動回路、１５…液晶表示パネル（ＬＣＤパネル）。
【図１】
0005381641.tif 000002
【図２】
0005381641.tif 000003
【図３】
0005381641.tif 000004
【図４】
0005381641.tif 000005
【図５】
0005381641.tif 000006